(57)【要約】【課題】棒状サポートの下端を受け止める手段と、仮設用チエンの下端を係止する手段とに、兼用させることが出来る金物を提供する。【解決手段】取付け座２は、取付け孔４を備えた水平板部５と、左右一対の上向き側板部６とから構成され、この上向き側板部６の一端には、円弧形周縁７ａを備えた上向き突出部７が一体形成され、係止部材３は、係止用長孔８が設けられた基板部９と、左右一対の下向き側板部１０とから構成され、この下向き側板部１０の一端には、円弧形周縁１１ａを備えた下向き突出部１１が一体形成され、この下向き突出部の円弧形周縁１１ａの半径と、前記取付け座側の上向き突出部の円弧形周縁７ａの半径とは同一であり、上向き突出部７の内側に下向き突出部１１を同心状に隣接させた状態で、これらの円弧形周縁７ａ，１１ａの中心を貫通する支軸１２により、係止部材３と取付け座２とが相対揺動自在に連結されている。【選択図】図１
0003205904.tif 000002
【実用新案登録請求の範囲】
【請求項１】
取付け座と係止部材とから成り、前記取付け座は、床面上への取付け孔を備えた水平板部と、この水平板部の左右両側辺から上向きに折曲連設された左右一対の上向き側板部とから構成され、この左右一対の上向き側板部の一端には、円弧形周縁を備えた上向き突出部が一体形成され、前記係止部材は、長さ方向に沿って係止用長孔が設けられた基板部と、この基板部の左右両側辺から下向きに折曲連設された左右一対の下向き側板部とから構成され、この左右一対の下向き側板部の一端には、円弧形周縁を備えた下向き突出部が一体形成され、この下向き突出部の円弧形周縁の半径と、前記取付け座側の上向き突出部の円弧形周縁の半径とは同一であり、前記取付け座側の左右一対の上向き突出部の内側に前記係止部材側の左右一対の下向き突出部を同心状に隣接させた状態で、これら上向き突出部と下向き突出部の円弧形周縁の中心を貫通する支軸により、前記係止部材と前記取付け座とが、当該支軸の周りに相対揺動自在に連結されている、仮設用チエン係止金物。
【請求項２】
前記係止部材は、その左右一対の下向き側板部間の前記下向き突出部のある一端領域の巾よりも、前記係止用長孔が設けられた領域での左右一対の下向き側板部間の巾が広くなっていて、その両領域間の、巾が変化する中間領域の左右両側辺が、この係止部材を前記取付け座上に被さる倒伏姿勢にしたときに、前記取付け座の左右一対の上向き側板部で支持されて、倒伏角度が一定以下になるのを阻止するように構成されている、請求項１に記載の仮設用チエン係止金物。
【請求項３】
前記取付け座の水平板部には、補強用の扁平な突出リブが上向きに形成され、この突出リブは、前記上向き側板部と直交する両側辺の内、前記上向き突出部が形成される側の側辺において解放されると共に、他方の側辺側が円弧形に閉じた形状のもので、この突出リブの円弧形に閉じた端部に前記取付け孔が設けられている、請求項１又は２に記載の仮設用チエン係止金物。
【考案の詳細な説明】
【技術分野】
【０００１】
本考案は、立設したコンクリート型枠を、圧縮強度のある棒状サポートと、引張強度のある仮設用チエンとで、鉛直姿勢に保持する場合に使用される、仮設用チエン係止金物に関するものである。
【背景技術】
【０００２】
立設したコンクリート型枠を鉛直姿勢に保持する場合、当該コンクリート型枠が外側へ倒れるのを防止するために、圧縮強度のある棒状サポートを、コンクリート型枠とその外側の床面との間に斜めに突っ張り棒状に配置し、当該コンクリート型枠が前記棒状サポートから離れる内側へ倒れるのを防止するために、仮設用チエンを、当該コンクリート型枠とその外側の床面との間に張設することが行われている。特許文献を引用することは出来ないが、従来は、棒状サポートの下端を受け止める専用金物と、仮設用チエンの床面側の端部（一般的には、仮設用チエンを緊張させるために使用されるターンバックルのフック）を床面側に係止させるための専用金物を使用し、これら２種類の専用金物を床面上にアンカーボルトで固定していた。
【考案の概要】
【考案が解決しようとする課題】
【０００３】
上記のような従来の状況では、２種類の専用金物を用意し、これら両専用金物を使い分けるように床面上に取り付けなければならないので、コストが掛かるだけでなく、作業にも手間が掛かる問題点があった。
【課題を解決するための手段】
【０００４】
本考案は、上記のような従来の問題点を解消することのできる仮設用チエン係止金物を提案するものであって、本考案に係る仮設用チエン係止金物は、取付け座と係止部材とから成り、前記取付け座は、床面上への取付け孔を備えた水平板部と、この水平板部の左右両側辺から上向きに折曲連設された左右一対の上向き側板部とから構成され、この左右一対の上向き側板部の一端には、円弧形周縁を備えた上向き突出部が一体形成され、前記係止部材は、長さ方向に沿って係止用長孔が設けられた基板部と、この基板部の左右両側辺から下向きに折曲連設された左右一対の下向き側板部とから構成され、この左右一対の下向き側板部の一端には、円弧形周縁を備えた下向き突出部が一体形成され、この下向き突出部の円弧形周縁の半径と、前記取付け座側の上向き突出部の円弧形周縁の半径とは同一であり、前記取付け座側の左右一対の上向き突出部の内側に前記係止部材側の左右一対の下向き突出部を同心状に隣接させた状態で、これら上向き突出部と下向き突出部の円弧形周縁の中心を貫通する支軸により、前記係止部材と前記取付け座とが、当該支軸の周りに相対揺動自在に連結された構成になっている。
【０００５】
上記本考案の構成によれば、仮設用チエンを係止させる床面上の位置には、取付け座に対して係止部材がコンクリート型枠側に位置する向きで、前記取付け座を、その取付け孔とアンカーボルトを利用して固定し、仮設用チエンの一端側（具体的にはターンバックルのフック）を前記係止部材の係止用長孔に係合させる。そして棒状サポートの端部を受け止める床面上の位置には、上記と同じように、取付け座に対して係止部材がコンクリート型枠側に位置する向きで、前記取付け座を、その取付け孔とアンカーボルトを利用して固定し、係止部材を支軸の周りに回転させて、取付け座の上に被さる倒伏姿勢に切り換える。この結果、取付け座のコンクリート型枠側の側辺には、この取付け座側の左右一対の上向き側板部の一端にある円弧形周縁を備えた上向き突出部と、係止部材側の左右一対の下向き（係止部材が反転しているので、上向きになっている）側板部の一端にある円弧形周縁を備えた下向き（係止部材が反転しているので、上向きになっている）突出部とが重なった状態で床面上に突出している状態になる。従って、棒状サポートの端部を、２つずつ間隔を隔てて位置する合計４つの突出部の円弧形周縁で受け止めることが出来る。
【考案の効果】
【０００６】
以上のように本考案の仮設用チエン係止金物によれば、この１種類の金物を、仮設用チエンの係止位置と、棒状サポートの端部受け止め位置の何れにも、同一の向きで取り付けて使用することが出来、２種類の金物を使い分けなければならない場合と比較して、コストを下げることが出来ると共に、作業性を高めることが出来る。
【０００７】
尚、上記本考案を実施する場合、前記係止部材は、その左右一対の下向き側板部間の前記下向き突出部のある一端領域の巾よりも、前記係止用長孔が設けられた領域での左右一対の下向き側板部間の巾を広く形成して、その両領域間の、巾が変化する中間領域の左右両側辺が、この係止部材を前記取付け座上に被さる倒伏姿勢にしたときに、前記取付け座の左右一対の上向き側板部で支持されて、倒伏角度が一定以下になるのを阻止するように構成することが出来る。この構成によれば、取付け座の巾を適当に抑えながら、係止部材の係止用長孔が設けられる部分の巾を広げて、係止用長孔の巾を広くし、仮設用チエンや、この仮設用チエンに連結されたターンバックルのフックなどの係止操作を容易に行えるようにすることが出来る。更に、取付け座の上に係止部材を被さるように倒伏させたとき、当該係止部材を取付け座から上方に離しておくことが出来るので、取付け座に対する係止部材の起伏操作が容易に行える。
【０００８】
又、前記取付け座の水平板部には、補強対策のために、扁平な突出リブを上向きに形成することが出来るが、この場合、当該突出リブは、前記上向き側板部と直交する両側辺の内、前記上向き突出部が形成される側の側辺において解放されると共に、他方の側辺側が円弧形に閉じた形状に形成し、この突出リブの円弧形に閉じた端部に前記取付け孔を設けることが出来る。
【図面の簡単な説明】
【０００９】
【図１】図１Ａは、係止部材を展開した状態の平面図、図１Ｂは、同側面図、図１Ｃは、同縦断側面図である。
【図２】図２Ａは、係止部材を倒伏させた折り畳み状態の平面図、図２Ｂは、同側面図、図２Ｃは、同縦断側面図である。
【図３】図３Ａは、図１Ｂの左側面図、図３Ｂは、図１Ｂの右側面図である。
【図４】図４は、組み立てる前の部品を示す分解平面図である。
【図５】図５は、使用状態を説明する側面図である。
【図６】図６Ａは、図５のＸ部の拡大図、図６Ｂは、図５のＹ部の拡大図である。
【考案を実施するための形態】
【００１０】
本考案の一実施例を、図１〜図４に基づいて説明すると、本考案に係る仮設用チエン係止金物１は、取付け座２と係止部材３とから成り、取付け座２は、床面上への取付け孔４を備えた水平板部５と、この水平板部５の左右両側辺から上向きに折曲連設された左右一対の上向き側板部６とから構成され、この左右一対の上向き側板部６の一端には、円弧形周縁７ａを備えた上向き突出部７が一体形成されている。係止部材３は、長さ方向に沿って係止用長孔８が設けられた基板部９と、この基板部９の左右両側辺から下向きに折曲連設された左右一対の下向き側板部１０とから構成され、この左右一対の下向き側板部１０の一端には、円弧形周縁１１ａを備えた下向き突出部１１が一体形成されている。係止部材３側の下向き突出部１１の円弧形周縁１１ａの半径と、取付け座２側の上向き突出部７の円弧形周縁７ａの半径とは同一である。取付け座２と係止部材３とは、取付け座２側の左右一対の上向き突出部７の内側に係止部材３側の左右一対の下向き突出部１１を同心状に隣接させた状態で、これら上向き突出部７と下向き突出部１１の円弧形周縁７ａ，１１ａの中心を貫通する支軸１２により、この支軸１２の周りに相対的に揺動自在に軸支されている。
【００１１】
更に、具体的に説明すると、係止部材３は、その左右一対の下向き側板部１０間の前記下向き突出部１１のある一端領域の巾よりも、係止用長孔８が設けられた領域での左右一対の下向き側板部１０間の巾が広くなっていて、その両領域間の、巾が変化する中間領域の左右両側辺９ａが、図２に示すように、この係止部材３を取付け座２上に被さる倒伏姿勢にしたときに、取付け座２の左右一対の上向き側板部６で支持されて、倒伏角度が一定以下になるのを阻止するように構成されている。
【００１２】
又、取付け座２の水平板部５には、補強用の扁平な突出リブ１３が上向きに形成され、この突出リブ１３は、上向き側板部６と直交する両側辺５ａ，５ｂの内、上向き突出部７が形成される側の側辺５ａにおいて解放されると共に、他方の側辺５ｂ側が円弧形に閉じた形状のもので、この突出リブ１３の円弧形に閉じた端部１３ａに前記取付け孔４が形成されている。係止部材３の係止用長孔８は、その周縁に、下向き側板部１０と同一側に突出する補強用折曲縁部８ａが形成されている。支軸１２は、一端に大径の頭部１２ａを備えたピンから成り、各突出部７，１１の円弧形周縁７ａ，１１ａの中心に設けられた貫通孔７ｂ，１１ｂ（図４参照）に挿通された状態で、頭部１２ａとは反対側の先端部をカシメて、抜け止め用張出し部１２ｂを形成したものである。
【００１３】
以上のように構成された仮設用チエン係止金物１の使用方法を、図５及び図６に基づいて説明すると、コンクリート床面１４上にコンクリート型枠１５が立設される場合、このコンクリート型枠１５をコンクリート床面１４上に鉛直姿勢に保持しなければならない。このために、コンクリート型枠１５の適当高さに水平に配設されている横ばた材１５ａとコンクリート床面１４上との間に、突っ張り棒としての長さ調整可能な棒状サポート１６を斜めに仮設して、コンクリート型枠１５が外側に倒れるのを阻止すると共に、前記横ばた材１５ａとコンクリート床面１４上との間に、コンクリート型枠１５が棒状サポート１６から離れる内側に倒れるのを阻止する引っ張り材としてのチエン１７が張設される。チエン１７の上端側は、当該チエン１７を横ばた材１５ａに巻き付けた状態でフック１７ａにより止め、このチエン１７の下端側には、フック１７ｂを利用してターンバックル１７ｃが連結される。
【００１４】
コンクリート床面１４上の、棒状サポート１６の下端を受け止める個所と、チエン１７の下端のターンバックル１７ｃを係止させる箇所とに、仮設用チエン係止金物１が取り付けられる。即ち、図６に示すように、仮設用チエン係止金物１の取付け座２を、係止部材３がコンクリート型枠１５側に位置する向きで、取付け孔４とアンカーボルト１８を利用して、コンクリート床面１４上に固定する。棒状サポート１６の下端を受け止める個所に取り付けられた仮設用チエン係止金物１の係止部材３は、支軸１２の周りに取付け座２の上側に被せるように回倒させ、取付け座２の上向き側板部６における左右一対の上向き突出部７の円弧形周縁７ａと、係止部材３の下向き側板部１０における左右一対の下向き突出部１１の円弧形周縁１１ａとで、棒状サポート１６の下端（接地板１６ａ）を受け止めさせる。チエン１７の下端のターンバックル１７ｃを係止させる箇所に取り付けられた仮設用チエン係止金物１の係止部材３は、支軸１２の周りに取付け座２からコンクリート型枠１５側へ起立させ、この係止部材３の係止用長孔８にターンバックル１７ｃの下端のフック１７ｄを係止させる。この状態で棒状サポート１６の長さを調整すると共に、チエン１７の有効長さをターンバックル１７ｃによって調整することにより、コンクリート型枠１５を鉛直姿勢に保持させることが出来る。
【００１５】
以上のように使用された仮設用チエン係止金物１の内、棒状サポート１６の下端を受け止める仮設用チエン係止金物１は、棒状サポート１６から係止部材３に曲げ力が作用する恐れはない。又、ターンバックル１７ｃを介してチエン１７を係止する仮設用チエン係止金物１は、チエン１７からの引張力を受けて、取付け座２が、その水平板部５の側辺５ａを支点にして、アンカーボルト１８を引き抜く方向の回転力を受けることになるが、水平板部５に形成された突出リブ１３が前記側辺５ａに達しているので、水平板部５が前記回転力を受けて曲げ変形を起こす恐れはない。
【産業上の利用可能性】
【００１６】
本考案の仮設用チエン係止金物は、コンクリート型枠を鉛直姿勢に保持するために使用される棒状サポートの下端を受け止める手段と、コンクリート型枠を鉛直姿勢に保持するために使用される仮設用チエンの下端を係止する手段とに、兼用させることが出来る金物として活用することが出来る。
【符号の説明】
【００１７】
１    仮設用チエン係止金物
２    取付け座
３    係止部材
４    取付け孔
５    水平板部
５ａ，５ｂ    水平板部の両側辺
６，１０    側板部
７，１１    突出部
７ａ，１１ａ    円弧形周縁
９    基板部
９ａ    中間領域の左右両側辺
１２    支軸
１３    突出リブ
１４    コンクリート床面
１５    コンクリート型枠
１５ａ    横ばた材
１６    長さ調整可能な棒状サポート
１７    チエン
１７ａ，１７ｂ，１７ｄ    フック
１７ｃ    ターンバックル
１８    アンカーボルト
【図１】
0003205904.tif 000003
【図２】
0003205904.tif 000004
【図３】
0003205904.tif 000005
【図４】
0003205904.tif 000006
【図５】
0003205904.tif 000007
【図６】
0003205904.tif 000008